(57)【特許請求の範囲】
【請求項１】
フェイルセイフ再生器フィルタ装置（１２９）及び細長い多孔フィルタ素子（２８）より成り、高温ガスクリーンアップシステムの高温汚染ガス入口（２５）を有する圧力容器（３０，３２）内でガスを濾過するフィルタ組立体（６０）であって、
フィルタ組立体は内部チェンバを画定する側壁を有するフィルタハウジング（６２）を有し、
細長い多孔フィルタ素子（２８）はフェイルセイフ再生器フィルタ装置（１２９）の下端部に固着され、
フェイルセイフ再生器フィルタ装置（１２９）は、フィルタハウジング（６２）の内部チェンバに配置され、細長い多孔フィルタ素子（２８）が故障、破損または損傷した場合でも粒状物質を高効率で捕捉するだけでなく清浄ガスの脈流を加熱する全金属製の単一部材であり、フェイルセイフ再生器フィルタ装置は金属支持プレート（１２１、１２２）に複数の細長い多孔通路部材（１２９）が固着されたものであり、複数の細長い多孔通路部材（１２９）は、
（１）開口を有する下端部が金属支持プレート（１２１、１２２）に固着された細長い媒体管（１２０）と、
（２）複数の平行な通路（１５２、１５２’）が上端部（１５０）及び開口を有する下端部（１５５）で一つおきに密封されたハネカム部材（１３０）とより成る群から選択されるフィルタ組立体。
【請求項２】
細長い多孔フィルタ素子に隣接して配置され、高温の汚染ガスを、濾過済みガスから密封隔離する可撓性ガスケット（１９、７４）を有する請求項１のフィルタ組立体。
【請求項３】
フィルタハウジング、フェイルセイフ再生器フィルタ装置及び細長い多孔フィルタ素子を結合する手段（１８）を備えた請求項１のフィルタ組立体。
【請求項４】
細長い媒体管（１２０）は金属支持プレート（１２１、１２２）に溶接されている請求項１のフィルタ組立体。
【発明の詳細な説明】
【０００１】
【発明の背景】
【０００２】
【発明の分野】
本発明は、タービンへ供給される高温ガスのクリーンアップシステムに関し、さらに詳細には、粒状物質を捕捉する、それぞれ独立の小径多孔金属媒体管のアレイまたはハネカム型チャンネル多孔金属媒体手段より成るため、熱交換表面としてのラシヒリングや粒状物質除去手段としてのスクリーン組立体が不要な、全金属製フェイルセイフ再生器フィルタ装置を備えたかかるシステムのフィルタ組立体に関する。この金属製のフェイルセイフ再生器フィルタ装置は、金属のフィルタ素子に固着される。
【０００３】
【背景情報】
現代の工業的方法には、その利用にあたって、粒状物質を含む高温の燃焼ガスまたはガス化により得られるガスを効率よく濾過する装置が必要なものがある。例えば、燃焼タービンは、天然ガスまたはプロパンガス、石油留出物もしくは低灰分の燃料油の燃焼により発生する高温加圧燃焼ガスが生み出すエネルギーを利用する。石炭または他の固形燃料を燃やす場合、かかる固形燃料の燃焼により発生する粒状物質は、タービン翼の腐蝕または汚染を生ぜしめる。かかる高温燃焼ガスを濾過する効率のよいシステムにより、かかる固体燃料の使用が可能になる。別の例として、従来型ボイラーは、火のそばの面のクリーンアップ及び点検のために定期的に運転を停止する。効率のよい高温ガス濾過装置を使用すると、ボイラーの寿命が大きく延び、次の点検までの運転時間が長くなると共に灰の付着及び汚染による火の近くの表面の汚れがなくなるかまたは最小限に抑えられる。
【０００４】
また、石炭またはバイオマスを燃焼させる最新式発電装置の重要なコンポーネントとして、高温ガス濾過装置は、下流の熱交換器及びガスタービンを粒状物質による汚染及び腐蝕から保護し、排気ガス規制を満足するようにプロセスガスを清浄化する。加圧流動床燃焼（ＰＦＢＣ）プラント、加圧循環流動床燃焼（ＰＣＦＢＣ）プラント、または一体式ガス化熱電併給（ＩＧＣＣ）プラントの何れかに設置すると、エネルギー効率が改善され、保守コストが減少し、高価な燃料または煙道ガス処理装置が不要になるだけでなく、下流のコンポーネントのコストが減少すると予想される。重要なコンポーネントとしてのフィルタ素子及びそれに関連する高温ガスケットシールの長期性能、耐久性及び寿命は、最新式の燃焼及びガス化システムにおいて高温ガス濾過装置を成功裏に運転するために非常に重要である。
【０００５】
米国特許第５，１８５，０１９号(Haldipur et al.)；５，４３３，７７１号(Bachovchin et al.)及び５，８７６，４７１号(Lippert et at.)は、従来型または薄壁セラミックキャンドルフィルタと併用できる改良型ガスケット組立体を教示している。これら３つの特許アッシュずれも、フェイルセイフ再生器ユニットのための別個のホルダー／チェンバを開示している。Bachovchin et al.特許は、図６に示すような、ステンレス鋼ラシヒリングのような粒状物質のベッドと金属スクリーンの組合せを開示している。目の細かいスクリーンは、該ユニット内の粒状物質を捕捉し、捕捉された粒状物質が逆方向の洗浄脈流により解放されないようにする。ラシヒリングは、逆流による洗浄時低温のガス脈流を加熱する熱再生器を構成する。Lippert et at.特許は、その図４において、ガスケットを備えたフィルタハウジング内に、セラミックキャンドルフィルタと接触して永続的に装着される別のかかるフェイルセイフ再生器装置を開示している。同様に、フェイルセイフ再生器は、セラミックフィルタ素子が故障しても粒状物質が圧力容器の清浄ガス領域内に流入しないようにする。さらに、１９９９年３月４日付け米国特許出願第０９／２６３，４３６号(Docket No. 99P7487US, ESCM-28139-00597, Alvin et al.)は、オプションとしてフェイルセイフ再生器を備えた改良型ガスケット組立体を開示し、また標準のセラミックキャンドルフィルタと同じ連結及び構成を有する金属製フィルタ素子を使用することに言及している。１９９９年９月１０日付け米国特許出願第０９／３９３，５６１号(Docket No. 99E7659US, ESCM-283139-00826, Alvin et al.)は、ガスケットの使用を減らした全金属製フィルタと、Bachovchin et al.特許と同じ一体型フィルタフェイルセイフ再生器装置を開示している。
【０００６】
これらの発明は当該技術を進展させるものであるが、スクリーン及びラシヒリングよりも粒状物質の捕捉能力をさらに改善すること及び既存のフィルタ装置を改造して任意の新しい組立体を組込めることが求められている。また、フィルタ組立体の洗浄作業の間さらに効率のよい熱交換が必要である。
【０００７】
これらの特定のキャンドルフィルタとは別に、米国特許第４，３６３，７６０号(Higuchi et al.)及び５，０６９，６９７号(Hamaguchi et al.)に教示されるような、フィルタとしてハネカム構造を用いるものもある。これらの構造には、本体を平行に貫通するチャンネルが設けられ、ディーゼルエンジンのガスのダストを捕捉するために、半分は一端が、残りの半分は他端が密封される。これらの特許は、フィルタ技術の分野におけるハネカム構造を示すものである。
【０００８】
最新式石炭燃焼プロセス用のさらに高い信頼性を有するフィルタ構造が求められている。また、フィルタ素子を背圧洗浄する間、フィルタ素子に流入する低温ガスからの熱伝達を改善することが求められている。最後に、この分野の既存システムにおいて交換により改良型フィルタ装置を使用できれば望ましい。
【０００９】
【発明の概要】
従って、本発明の主要目的は、濾過能力が高く、硫黄、アルカリ、塩化物、蒸気及び石炭ガスに含まれる他の汚染物質に対する耐性を有する改良型フェイルセイフ再生器フィルタ装置を備えたフィルタ組立体を提供することにある。
【００１０】
本発明の別の目的は、洗浄作業の間フェイルセイフ再生器フィルタ装置の熱伝達効率を改善し、既存のかかる装置の交換を容易にする設計を提供することにある。
【００１１】
上記及び他の目的は、フェイルセイフ再生器フィルタ装置及び細長い多孔フィルタ素子より成り、高温ガスクリーンアップシステムの高温汚染ガス入口を有する圧力容器内でガスを濾過するフィルタ組立体であって、フィルタ組立体は内部チェンバを画定する側壁を有するフィルタハウジングを有し、細長い多孔フィルタ素子はフェイルセイフ再生器フィルタ装置の下端部に固着され、フェイルセイフ再生器フィルタ装置は、フィルタハウジングの内部チェンバに配置され、細長い多孔フィルタ素子が故障、破損または損傷した場合でも粒状物質を高効率で捕捉するだけでなく清浄ガスの脈流を加熱する全金属製の単一部材であり、フェイルセイフ再生器フィルタ装置は金属支持プレートに複数の細長い多孔通路部材が固着されたものであり、複数の細長い多孔通路部材は、（１）開口を有する下端部が金属支持プレートに固着された細長い管体と、（２）複数の平行な通路が上端部及び開口を有する下端部で一つ置きに密封されたハネカム部材とより成る群から選択されるフィルタ組立体を提供することにより達成される。かくして、複数の細長い多孔通路部材は、管状通路かまたはハネカムカートリッジである。フェイルセイフ再生器フィルタ装置は、ラシヒリング、金属スクリーンなどを不要にし、ガス通路の多孔壁は、流入するガスの脈流を加熱するだけでなく、細かい粒状物質を捕捉する大きい表面積を提供する。
【００１３】
フェイルセイフ再生器フィルタ装置及び細長い多孔フィルタ素子を密封するかまたは保持するために、種々の可撓性シールおよびガスケットを種々の組合せで使用することが可能である。
【００１４】
フェイルセイフ再生器フィルタの通路の形成に用いる多孔性金属媒体は、単一の粉末粒子またはファイバのサイズかまたは、好ましくはそのユニットの内面及び／または外面に沿う細かい粉末粒子またはファイバの層（膜）を有する。これらの通路はまた、多孔性ファイバまたは好ましくは粉末の、金属または金属間化合物の耐腐蝕性超合金複合物でもよい。これらのタイプの通路は、粒子収集効率が１乃至５ミクロンより大きい微粒子について９９．９９９％より高く、圧力降下特性は０．２５乃至０．５ｉｎ−ｗｇ（インチ−水ゲージ）／１  ｆｐｍ（フィート／分）より小さい。
【００１５】
【好ましい実施例の詳細な説明】
図１は、ガス流から粒状物質を分離する濾過装置２０を示す。この装置の圧力容器２２の内部には、複数のフィルタ素子アレイ２６より成る複数のクラスタ２４が取り付けられている。これらのフィルタ素子アレイ２６は、金属、金属間化合物及び／またはセラミック製の複数のフィルタ素子２８を有する。
【００１６】
圧力容器２２は、ドーム型ヘッド３０と、本体３２とを有する。ドーム型ヘッド３０は、濾過済みのガスを容器２２から取り出すための出口開口またはノズル３６を画定する直線状先端部３４で終端している。本体３２は、ガスが約１１１０°Ｆ（６００℃）乃至１８３０°Ｆ（１０００℃）の温度で流入する汚染ガス入口２５を有する。この本体は、ほぼ円筒形の上部３８が、粒状物質を受ける円錐台形のアッシュホッパー４０に連結されたものであり、排出ラインに接続される開口またはノズル４２を画定する直線状先端部で終端する。複数のポート４４は、ドーム型ヘッド３０から延びる。これらのポート４４は、運転停止時に計器を挿入して、ドーム型ヘッド３０の内部を視認するための場所を提供する。各ポートには、フィルタ２８を洗浄するガスの逆方向バースト脈流を供給する管体４６を配置することができる。
【００１７】
図２を参照して、圧力容器は管板４８を有する。管板４８は、複数のフィルタ素子アレイ２６を支持する。各フィルタ素子アレイ２６は、上部プレート５０、下部プレート５２及び側部プレートより成るマニホルドプレナムを有する。本発明によると、各フィルタ素子２８は、フィルタ組立体６０により保持され、マニホルドプレナムの下部プレート５２に結合されている。フィルタ組立体６０は、プレナム支持パイプ５４により構造ユニットに一体化されている。各プレナム支持パイプ５４は、圧力容器２２内の中心部に固定されている。ほぼ円錐台形のダストシェッドまたは粒子そらせ板５６も示す。
【００１８】
従来の経験によると、酸化物でないセラミックモノリス、ファイバー補強連続セラミック複合物（ＣＦＣＣ）及び網状フォームセラミック母材を、加圧流動床燃焼（ＰＦＢＣ）または加圧循環流動床燃焼（ＰＣＦＢＣ）に５００乃至３０００時間の長時間の間、現場で曝される多孔キャンドルフィルタ素子に用いた結果、これらの物質が酸化していたことが判明している。同様に、酸化物系モノリスは、プロセス運転の間、熱疲労及び／または熱衝撃を受けやすいことがわかっている。酸化物系ＣＦＣＣ及びフィラメント巻回母材では、フランジ及び荷重を支持するフィルタ本体が低強度であり、ＣＦＣＣファイバーがもろくなって、挿入されるプラグ、縫い目、膜、コンポーネントの層などに沿って接合が壊れる可能性があることがわかっている。その結果、高温ガス濾過技術における最近の研究は、最新式の石炭燃焼用装置のキャンドルフィルタまたは別タイプのフィルタ及び他のコンポーネントに金属及び金属間化合物の媒体を使用するための開発及び評価に向けられている。
【００１９】
ＰＦＢＣ、ＰＣＦＢＣ、ＩＧＣＣ、バイオマス及び工業用として設置され運転される最新式の粒状物質濾過装置に用いるためには、多孔性セラミック、金属または金属間化合物のフィルタ素子は、以下に示すような、粒子収集効率、圧力降下特性及び構造上及び寸法上公差を達成しなければならない。即ち、粒子収集効率は９９．９９９％より高く、初期圧力降下は、１０ｉｎ−ｗｇ（インチ−水ゲージ）／１０  ｆｐｍ（フィート／分）より小さいかそれに等しく、多孔性セラミック及び／または金属媒体及び／または溶接材料は、蒸気、硫黄ガス、塩化物及び／またはアルカリを含む高温プロセスガス流による酸化及び／または腐蝕に耐えることができ、脈流で洗浄することにより濾過表面からアッシュを除去し、低い圧力降下に戻ることができるようなものでなければならない。本発明の好ましいフィルタ組立体６０は、細長い多孔フィルタ通路を利用するフェイルセイフ再生器フィルタ装置に使用されるが、この通路については後述する。
【００２０】
本発明は、最新式の石炭燃焼発電装置及び／またはバイオマス並びに工業的用途のための運転時に多孔キャンドルフィルタが故障、損傷または破損した場合、粒状物質を捕捉する金属フェイルセイフ再生器フィルタ装置の２つの実施例を有する。さらに、この金属フェイルセイフ再生器フィルタ装置は、金属または金属間化合物のフィルタ素子に直接固着して、既存の濾過装置への取り付けが容易な一体的なユニットとすることができる。これらの金属フェイルセイフ再生器フィルタ装置は、大きい表面積及び粒状物質保持能力を与えるように多孔性金属媒体を組込んだものであり、洗浄ガスの脈流を加熱して、多孔性モノリスセラミック、セラミックフィラメント及び／または連続ファイバセラミック複合物（ＣＦＣＣ）のキャンドルまたは管状フィルタだけでなく多孔性金属及び／または金属間化合物のキャンドルまたは管状フィルタの熱衝撃を減少すると共にフィルタまたはガスケットが故障した場合でも微粒子が清浄ガス流に送り込まれないようにする。それらはまた、下流のガスタービン及び熱交換器を保護し、プラント運転に対する空気汚染規制の排出基準を満足する。
【００２１】
これら金属製のフェイルセイフ再生器フィルタ装置は、金属のフィルタハウジング内への改造目的による組込みを可能にし、現在及び従来技術のフィルタフランジ、ガスケット及び／またはフェイルセイフ再生器フィルタ装置周辺の粒状物の漏洩経路を減少させ、多孔性モノリスセラミック、セラミックフィラメント及び／またはＣＦＣＣのキャンドルまたは管状フィルタだけでなく金属及び／または金属間化合物の多孔性キャンドルまたは管状フィルタ等の利用を可能にする。金属のフランジと、フェイルセイフ再生器フィルタ装置とを直接溶接して一体的なホルダー組立体を形成する実施例も、本発明の一部と考えられる。別法として、一体的なフェイルセイフ再生器フィルタ装置と、金属または金属間化合物のフィルタ素子とをフィルタハウジングに溶接することにより可撓性ガスケットを不要にし、既存の濾過装置内で隔壁による完全な濾過を可能にすることができる。
【００２２】
図３に示すように、フェイルセイフ再生器フィルタ装置１２９の細長い多孔性金属の媒体管１２０は、閉じた多孔性頂部１２２を有する。これらの管は、緻密な有孔支持金属プレート１２１を貫通する孔に嵌合して、この金属支持プレート１２１に永続的に溶接または他の方法で固定されている。この金属支持プレートは、図６に示す金属スペーサリング１２３に溶接されており、これにより管状の金属フェイルセイフ再生器フィルタ装置が構成される。図４に示すように、別法として、円筒形で、細長い多孔性金属媒体のハネカムカートリッジ１３０より成るフェイルセイフ再生器フィルタ装置１２９を、金属支持プレート１２２に直接溶接した後、図７に示すように、金属スペーサリング１２３に溶接すると、ハネカム型金属媒体フェイルセイフ再生器フィルタ装置が構成される。図５は、ハネカムの部分断面図である。用語「ハネカム」は、ここでは、複数の平行な通路またはチャンネル２００が貫通した本体と定義するが、図５に示すように、チャンネルは、１つおきに、上端部１５０及びもう一方の端部１５５で密封されている。このため、フィルタまたはガスケットの故障、損傷または破損の場合、粒状物質を含むガス１５１が通路１５２内に流入しなければならない。ガスは、隣接するチャンネルの壁１５０’を通過し、通路１５２’から出るが、粒状物質は通路１５２内に保持される。図７はまた、１つおきの底が開いた通路１５２’と、頂部が閉じた通路１５２とを示す。用語「ハネカム」は、上記説明の種々の変形例を含むものと意図されている。例えば、この用語は、複数の平行なチャンネルが貫通するが、選択されたチャンネルは一方の端部で密封され、残りのチャンネルは他方のチャンネルで密封される構造体を包含する。一体的な、外側の、多孔性または緻密な、チャンネルでない通路領域１５７は、金属媒体ハネカムカートリッジの周囲を取り囲んでいる。
【００２３】
ハネカム型フェイルセイフ再生器フィルタ装置と同様に、フィルタまたはガスケットが故障、損傷または破損した場合、粒状物質を含むガスは、図６に示す細長い多孔性金属媒体管１２０の通路１５２内に流入し、通路１５２’から流れ出て、粒状物質が通路１５２内に保持される。
【００２４】
多孔性金属媒体管１２０と、円筒形の多孔性金属媒体ハネカムカートリッジ１３０とは共に、ガスの流れ抵抗及びフィルタ素子またはガスケットが故障、損傷または破損した場合に粒状物質を捕捉する条件を満足するように規定の多孔度を有するように製造される。このため、汚染したプロセスガス流から清浄なガス流へ解放される粒状物質が減少する。図６及び７に示すように、多孔性金属媒体管１２０と、ハネカムチャンネル１５２、１５２’は細長い通路２００を提供するが、多孔性金属媒体壁の内部孔及び多孔性金属管またはハネカムチャンネルの小径孔内において粒状物質の捕捉能力が改善される。管状及び／またはハネカムフェイルセイフ再生器フィルタ装置１２９の構成に用いる大きい表面積の多孔性金属媒体はまた、流入する洗浄ガスの脈流を加熱して、図１に示すようにフィルタアレイ２６内のフィルタ素子２８の熱疲労の衝撃を緩和する。
【００２５】
金属支持プレート１２１に溶接された多孔性の金属媒体管１２０及び／または金属支持プレート１２２に溶接された円筒形の多孔性金属媒体ハネカムカートリッジ１３０と、金属スペーサリング１２３との間の領域２１０は、図６及び７に示すように、空所であるか、溶接された有孔金属プレート、細かいメッシュ及び粗いメッシュのスクリーン及びラシヒリングを含む場合がある。溶接された有孔金属プレート、細かいメッシュ及び粗いメッシュのスクリーン及びラシヒリングを付加すると、必要に応じて洗浄ガスの脈流をさらに加熱できるだけでなく、粒状物質の捕捉能力が増加するが、これらの従来技術の特徴はオプションである。
【００２６】
多孔性金属媒体管及び／または円筒形の多孔性金属媒体ハネカムカートリッジを有するフェイルセイフ再生器フィルタ装置の組成は、３１０Ｓ、インコネル６００、ハステロイ(Hastelloy)Ｘ、別の耐高温合金、金属間化合物などを含むが、それらに限定されない。これらの合金は、好ましくは、粉末状またはファイバ状金属で構成することができる。同様に、多孔性金属媒体管及び／または円筒形の多孔性金属媒体ハネカムカートリッジを有するフェイルセイフ再生器フィルタ装置は、継目のないモノリス構成として製造可能であり、１２７の内膜層及び／または１２７’の外膜を含み、これらは低多孔度の焼結金属媒体より成り、フェイルセイフ再生器フィルタ装置内で粒子の高い捕捉効率を有する。
【００２７】
多孔性金属媒体管及び／または円筒形の多孔性金属媒体ハネカムカートリッジを有するフェイルセイフ再生器フィルタ装置は、好ましくは、粉末金属またはファイバから製造してもよい。多孔性金属媒体管は、押出しプロセスの後、真空または不活性ガス雰囲気中で高温焼結を行なうことにより形成される（これに限定されない）。同様に、円筒形の金属媒体ハネカムカートリッジも、同様な態様で、またはインクジェットプリンティングプロセスにより形成した後、真空または不活性雰囲気中の高温焼結により、または別の製造プロセスにより形成できる。多孔性金属媒体管及び／またはハネカムを有するフェイルセイフ再生器フィルタ装置１２９は、１−５ミクロンの微粒子につき９９．９９９％より高い粒状物質収集効率と、０．２５−０．５インチ−ｗｇ／１ｆｐｍより少ない圧力降下特性が得られるように、規定の開いた多孔度で製造される。
【００２８】
多孔性金属媒体管及び／または多孔性金属媒体ハネカムカートリッジを有するフェイルセイフ再生器フィルタ装置１２９は、フィルタハウジング６２の内部チェンバ６６内に永続的にまたは着脱自在に装着される。着脱自在ユニットとして装着されると、多孔性金属媒体管及び／または多孔性金属媒体ハネカムカートリッジを有するフェイルセイフ再生器フィルタ装置１２９は、フィルタハウジング１９の段付き部分と、溶接された金属スペーサリング１２４の上面との間の主要な密封手段として、可撓性のガスケット７４を使用する。頂部の可撓性ガスケット７４は、従来のファイバフラックス紙を不要にし、汚染プロセスガス流から清浄なガス流への粒状物質の移送を阻止する主要なシールとして働く。中間の可撓性ガスケット７５は通常、溶接された金属スペーサリング１２５の底面と、フィルタフランジ１８の上面との間に配置される。
【００２９】
キャンドルフィルタまたは細長い多孔フィルタ素子２８をフィルタホルダー／ガスケット組立体６０に装着すると、中間の可撓性ガスケット７５は約５ｍｍに圧縮され、金属フェイルセイフ再生器フィルタユニット１２９と、フィルタ素子２８との間のシールを形成する。底部の可撓性ガスケット７６は通常、不規則形状のフィルタフランジ１２の基部に位置する。底部の可撓性ガスケット７６は、フィルタ素子２８と、フィルタハウジング６２及び鋳造ナット７８との間のクッション及び粒状物質隔壁シールとして使用する。セラミックスリーブ７２を、細長い多孔フィルタ素子２８の外面に沿って設けてもよい。セラミックスリーブ７２は、微粒子の堆積を防止し、さらに、細長い多孔フィルタ素子２８と、フィルタハウジング６２及び鋳造ナット７８との間のクッションとして用いる。頂部の可撓性ガスケット７４、中間の可撓性ガスケット７５もしくは底部の可撓性ガスケット７６は、単一コンポーネントとしての酸化物の網組みまたは織布若しくはスリービングであって、酸化物の連続または切断ファイバマット、一端をロールした単一の酸化物織布もしくはスリービングまたは２つの端部を有する二重の酸化物織布またはスリービングを取り囲むように製造するのが好ましい。
【００３０】
図６及び７に示す多孔性金属媒体管及び／または多孔性金属媒体ハネカムカートリッジを有するフェイルセイフ再生器フィルタ装置１２９は、モノリス多孔性セラミックの細長い多孔フィルタ素子または多孔性金属または金属間化合物のフィルタ素子２８と併用するように設計される。小さなフィルタ壁だけでなく上部のフランジ表面１８を備えるように製造されるセラミックフィラメント巻回及び連続ファイバセラミック複合物（ＣＦＣＣ）のフィルタは、溶接された金属スペーサリング１２３の基部に拡がるカラー１２６を必要とするが、その理由は、中間の可撓性ガスケット７５を溶接された金属スペーサリング１２５の基部と、キャンドルまたは細長い多孔フィルタ素子２８の上部表面１８との間に固定して、中間の可撓性ガスケット７５がパルス脈流による清浄時及びそれに続くフィルタハウジング及びガスケット組立体６０内へのキャンドルフィルタの嵌合時及び／またはキャンドルフィルタ２８が最終的に故障した時に、キャンドルフィルタ２８の内径孔内に拡がるのを阻止する。多孔性金属媒体管（及び／または多孔性金属媒体ハネカム）を有するフェイルセイフ再生器フィルタ１２９はまた、ＣＣＦＣ素子の内径フランジ表面に嵌合する形状の細長い金属挿入物を付加し、細長い金属挿入物と、内部フランジ表面との間に位置する関連の可撓性ガスケットを組み込むことによって、非常に薄い壁のＣＣＦＣフィルタと共に利用することができる。
【００３１】
多孔性金属または金属間化合物のキャンドルフィルタ２８を使用する場合、多孔性金属媒体管及び／または多孔性金属媒体ハネカムカートリッジを有するフェイルセイフ再生器フィルタ装置１２９は、上述したように、キャンドルフィルタまたはセラミックの細長い多孔フィルタ素子２８用として利用するか、またはフィルタフランジの上部表面１８に直接溶接して一体的ユニットが形成されるようにする。頂部の可撓性ガスケット７４及び底部の可撓性ガスケット７６だけを用いて、一体的な多孔性金属媒体管及び／または多孔性金属媒体ハネカムカートリッジを有するフェイルセイフ再生器フィルタ装置をフィルタハウジング／ガスケット組立体６０の内部で支持させる。セラミックスリーブ７２の使用は、多孔性の金属及び／または金属間化合物のフィルタをフィルタハウジング及び／またはガスケット組立体６０内に設置する時は任意である。
【００３２】
金属または金属間化合物のキャンドルフィルタもしくは細長い多孔フィルタ素子２８を永続的に溶接された装置として使用する場合、全ての可撓性ガスケットは不要である。永続的に溶接すると、金属スペーサリング１２４の上面と、フィルタハウジング１９の段付き部分との間が密封され、必要であれば、フィルタハウジング６２の内部チェンバ６６内に別の体積部分が得られる。フランジ付きキャンドルフィルタでなくて、まっすぐな多孔性金属または金属間化合物のチューブを使用し、まっすぐな多孔性金属または金属間化合物のチューブを溶接された管状またはハネカムのフェイルセイフ再生器フィルタ装置と、金属スペーサリングに溶接して、平坦なプレートまたは拡張部分１２６を除外し、その後、そのユニットをフィルタハウジング６０に溶接すると、可撓性ガスケットシールを不要にするフェイルセイフ再生器フィルタ能力を有する多孔性金属媒体濾過装置が得られ、汚染ガスプロセス流から清浄なガス流への粒状物質の移動が阻止される。多孔性金属または金属間化合物のキャンドルフィルタ１８の上面または多孔性金属または金属間化合物の管状フィルタの上面の厚さは可変である。多孔性の管状及びハネカムの金属フェイルセイフ再生器フィルタ装置の上述した考え方は、別のフィルタ素子と併用するために設計変更が可能である。あるいは、多孔性の管状またはハネカムの金属製フェイルセイフ再生器フィルタ装置１２９は、フィルタハウジング６０に永続的に溶接し、関連の中間のガスケット７５、底部のガスケット７６及び鋳造ナット７８を用いて可撓性セラミックまたは金属のフィルタ素子とは別個の装置として使用することができる。
【００３３】
多孔性管状及びハネカムの金属フェイルセイフ再生器フィルタ装置１２９の主要な機能は、多孔性金属壁の内部の孔だけでなく多孔性金属管またはハネカムのチャンネル通路の小さな孔内での粒状物質の捕捉能力を改善し、洗浄ガスの脈流を加熱することである。さらに、領域２１０内において、微粒子の捕捉及び保持が起こる場合がある。これらのユニット１２９は、既存の濾過装置に組み込んで、モノリスセラミック、フィラメント巻回セラミック、連続ファイバセラミック複合物（ＣＣＦＣ）、金属及び／または金属間化合物のフィルタ素子と共に使用することができる。同様に、多孔性の管状及びハネカムの金属製フェイルセイフ再生器フィルタ装置は、一旦動作させた後も容易に交換することが可能である。さらに、多孔性の管状及びハネカムの金属製フェイルセイフ再生器フィルタ装置は、多孔性金属または金属間化合物のフィルタ素子とは別個に形成して直接それに溶接することにより、一体的な金属製フェイルセイフ再生器フィルタ装置／多孔性金属または金属間化合物のフィルタ素子を形成することができる。この一体的な金属製フェイルセイフ再生器／多孔性金属または金属間化合物のフィルタは、キャンドル形または管状である。一体的な金属製フェイルセイフ再生器／多孔性金属または金属間化合物のフィルタは、フィルタハウジングから着脱自在にするかあるいは直接溶接してもよい。また、多孔性の管状及びハネカムの金属製フェイルセイフ再生器フィルタ装置の考え方は、交差流、シート、反転キャンドルフィルタと同じ別のフィルタ素子構成と併用できるように改造することができる。
【００３４】
多孔性の金属媒体管及び／または円筒状の多孔性金属媒体ハネカムカートリッジのフェイルセイフ再生器フィルタ装置は、既存のフェイルセイフ再生器フィルタ装置に現在取り付けられる細かいメッシュのスクリーン及び重い支持ワイヤーメッシュを不要にし、薄いファイバフラックスガスケットを不要にして、可撓性ガスケットを用いることにより一時的な密封を改善する。多孔性の金属媒体管及び多孔性金属ハネカム構造は、洗浄ガスの脈流の加熱を容易にする一体的なユニットとして働き、それと同時に、多孔性媒体の壁だけでなく多孔性金属管及びハネカムチャンネルの通路の小さな孔内での粒状物質の捕捉能力を同時に改善する。洗浄ガスの脈流をさらに加熱するだけでなく粒状物質の捕捉能力の改善が必要である場合、溶接される有孔金属プレート、細かいメッシュのスクリーン、粗いワイヤーメッシュのスクリーン、ラシヒリング（当該技術分野で上述した）は、多孔性金属媒体管及び／または金属媒体ハネカムカートリッジのフェイルセイフ再生器フィルタの考え方に容易に採用することができる。
【００３５】
本発明は、その精神及び本質的な特徴から逸脱することなく他の変形例で実現可能であり、従って、本発明の範囲を知るには頭書の特許請求の範囲及び上記説明の両方を参照すべきである。
【図面の簡単な説明】
【図１】  図１は、本発明のフィルタ組立体を組込んだ圧力容器の縦方向断面図である。
【図２】  図２は、図１に示す管板に結合された、フィルタ素子を含む、フィルタ組立体のアレイを示す側立面図である。
【図３】  図３は、図６に組立て済みの形で示す管状のフェイルセイフ再生器フィルタ装置の斜視図である。
【図４】  図４は、図７において組立て済みの形で示す多孔性の金属媒体ハネカムのフェイルセイフ再生器フィルタ装置の斜視図である。
【図５】  図５は、図４のフィルタ装置の部分断面図であり、内部のハネカム構造を示す。
【図６】  図６は、管状通路と、関連の連結された多孔性中空フィルタ素子と、１つの配置例のガスケットとを示すフェイルセイフ再生器フィルタ装置を含む細長い管状フィルタ組立体の断面図である。
【図７】  図７は、多孔性金属媒体ハネカム通路と、関連の連結された多孔性中空フィルタ素子と、１つの配置例のガスケットとを示すフェイルセイフ再生器フィルタ装置を含むハネカム型フィルタ組立体の断面図である。
【図１】
0004057813.tif 000002
【図２】
0004057813.tif 000003
【図３】
0004057813.tif 000004
【図４】
0004057813.tif 000005
【図５】
0004057813.tif 000006
【図６】
0004057813.tif 000007
【図７】
0004057813.tif 000008